(57)【要約】【課題】基地局装置１と加入者局装置２と間ので制御フィールドとデータフィールドとを含む無線フレームを用いて通信を行う無線アクセスシステムにおいて、制御情報の伝送を極力抑えて、ユーザデータの伝送効率を向上させる。【解決手段】伝送対象となる全ての制御情報より小さい制御フィールドを無線フレームに設定し、基地局装置１と加入者局装置２との内の制御情報を送信する局装置で、フレーム構成部１２、２２により、制御情報の全ての種類を循環するサイクリックルールに従って、伝送する制御情報を選択して無線フレーム中の制御フィールドを構成し、当該無線フレームを伝送する。したがって、無線フレーム中の制御フィールドを抑えて、ユーザデータを増加させることができる。【選択図】  図１
2004165875.tif 000002
【特許請求の範囲】
【請求項１】
一の無線局装置と他の無線局装置とを、制御情報の伝送に用いる制御フィールドとユーザデータの伝送に用いるデータフィールドとを含む無線フレームにより無線接続する無線システムにおいて、
伝送対象となる全ての制御情報より小さい制御フィールドを無線フレームに設定し、
制御情報を送信する無線局装置に、予め設定したルールに従って、伝送する制御情報を選択して無線フレーム中の制御フィールドを構成する手段を備えたことを特徴とする無線システム。
【請求項２】
基幹ネットワークに接続される基地局装置と、加入者端末に接続される加入者局装置とを、制御情報の伝送に用いる制御フィールドとユーザデータの伝送に用いるデータフィールドとを含む無線フレームにより無線接続する加入者系無線アクセスシステムにおいて、
伝送対象となる全ての制御情報より小さい制御フィールドを無線フレームに設定し、
制御情報を送信する局装置に、制御情報の全ての種類を循環するサイクリックルールに従って、伝送する制御情報を選択して無線フレーム中の制御フィールドを構成する手段を備えたことを特徴とする加入者系無線アクセスシステム。
【請求項３】
一の無線局装置と他の無線局装置とを、制御情報の伝送に用いる制御フィールドとユーザデータの伝送に用いるデータフィールドとを含む無線フレームにより無線接続する方法において、
伝送対象となる全ての制御情報より小さい制御フィールドを無線フレームに設定し、
予め設定したルールに従って制御情報を選択して制御フィールドに載せて伝送し、
制御フィールドを共用することにより複数の無線フレームによって全ての種類の制御情報を伝送することを特徴とする無線通信方法。
【発明の詳細な説明】
【０００１】
【発明の属する技術分野】
本発明は、ＦＷＡ（Ｆｉｘｅｄ  Ｗｉｒｅｌｅｓｓ  Ａｃｃｅｓｓ）などと称せられる加入者系無線アクセスシステムを代表的な例とした、一の無線局装置と他の無線局装置とを、制御情報の伝送に用いる制御フィールドとユーザデータの伝送に用いるデータフィールドとを含む無線フレームにより無線接続する無線システムに関し、特に、ユーザデータの伝送効率を高める技術に関する。
【０００２】
【従来の技術】
次世代の情報通信基盤整備を目的として、２０１０年を目標に加入者系光ファイバ網の全国整備が進められており、それに伴って、加入者系光ファイバ網の補完的利用や地域網整備の早期推進などの目的で、無線を利用して高速回線を加入者へ提供する加入者系無線アクセスシステム（以下、無線アクセスシステムと呼ぶ）への要求が膨らんでいる（例えば、非特許文献１、２参照）。
【０００３】
無線アクセスシステムには、大別して、企業などを対象としたビル間通信によるＰ―Ｐ（Ｐｏｉｎｔ−Ｐｏｉｎｔ）方式と、一般住宅や小規模オフィス（ＳＯＨＯ：ＳｍａｌｌＯｆｆｉｃｅ  Ｈｏｍｅ  Ｏｆｆｉｃｅ）を対象としたＰ−ＭＰ（Ｐｏｉｎｔ−Ｍｕ１ｔＰｏｉｎｔ）方式が考えられている。
Ｐ―Ｐ方式の無線アクセスシステムでは基幹ネットワークに接続される基地局装置と加入者端末に接続される加入者局装置とが一対一で無線接続され、Ｐ―ＭＰ方式の無線アクセスシステムでは一つの基地局装置と複数の加入者局装置とが一対多で無線接続される。
【０００４】
【非特許文献１】
「ＮＩＫＫＥＩ  ＣＯＭＭＵＮＩＣＡＴＩＯＮＳ」、１９９９年９月６日、“高速無線アクセスＦＷＡの将来性”、ｐ．１０６―１１２
【非特許文献２】
服部武  藤岡雅宣  編著「ワイヤレス・ブロードバンド教科書」株式会社ＩＤＧジャパン、２００２年６月１０日、ｐ．３０１―３２８
【０００５】
このような無線アクセスシステムは、使用する周波数帯域が２２ＧＨｚ帯、２６ＧＨｚ帯、３６ＧＨＺ帯（準ミリ波帯／ミリ波帯）で高周波帯であるため、通信品質が降雨などの天侯に影響されやすく、基地局装置及び加入者局装置における通信の安定化が重要な課題となっている。
【０００６】
また、無線アクセスシステムのみならず、一の無線局装置と他の無線局装置とを無線接続する無線システム一般に言えることであるが、障害が発生した場合に、その原因をいち早く究明して復旧に努めなければならず、障害の原因を究明し易いシステム構成が求められている。特に、Ｐ−ＭＰ方式の場合は、加入者局装置が複数になるため、加入者局装置の装置状態を示す動的な情報を基地局装置へ通知して、基地局装置で全ての加入者局装置の状態を一元管理できることが望ましい。
【０００７】
図２には、局間無線通信を行う無線システムの一例として、Ｐ−ＭＰ方式の無線アクセスシステムの一例を示してある。
基地局装置１は光ファイバ回線網などの基幹ネットワークＮに接続され、当該基地局装置１に複数の加入者局装置２が無線接続される。各加入者局装置２は加入者のビルや住宅などに固定して設置され、直接又はＬＡＮを介して加入者端末に接続される。
したがって、各加入者端末は、各加入者局装置２、無線区間（無線接続）、基地局装置１を介して基幹ネットワークとユーザデータを通信することができ、また、基地局装置１のブリッジ機能を利用して他の加入者局装置２に収容された加入者端末とユーザデータを通信することができる。
【０００８】
上記基地局装置１と各加入者局装置２との間の無線区間は、例えば図３に示すような制御情報の伝送に用いる制御フィールドとユーザデータの伝送に用いるデータフィールドとを含む無線フレームにより無線接続される。ここに、制御情報とは装置の制御に用いる目的で伝送される情報であり、ユーザデータとはユーザが情報交換をするために装置を用いて伝送するデータである。
無線フレームは、報知信号フィールド、要求信号フィールド、許可信号フィールド、ＡＣＫ／ＮＡＣフィールド、データ信号フィールドを含んで構成されており、それぞれのフィールドには報知信号、要求信号、許可信号、ＡＣＫ／ＮＡＣ信号、ユーザデータ信号が載せられて無線区間を伝送される。
【０００９】
報知信号は、基地局装置１と加入者局装置２との間の同期確保のために、基地局装置１から配下の全ての加入者局装置２に対して一定間隔で送信される制御情報である。
要求信号は、一つの加入者局装置２が無線区問へユーザデータ送信を行う際に、基地局装置１に対して送信開始要求を行う制御情報である。
許可信号は、基地局装置１が要求信号に対して送信許可を与えるための制御情報である。
ＡＣＫ／ＮＡＣ信号は、送信されたユーザデータ信号に対して受信確認のためのＡＣＫ／ＮＡＣを返送するための制御情報である。
ユーザデータ信号は、実際に伝送されるユーザデータである。
【００１０】
ここで、報知信号には基地局装置１から加入者局装置２へ通知したい下り制御情報が割り当てられている。
基地局装置１から加入者局装置２へ通知する下り制御情報の例としては、図８に示すように、装置の日時情報、加入者局装置２の送信パワー制御に使用する基地局装置１における受信レベルの基準値、当該加入者局装置２からの送信信号の基地局装置１での受信レベル、要求信号のエラーレート、ユーザデータ信号のエラーレート等がある。なお、図８に示す例では、装置の日時情報を８ｂｙｔｅ、基地局装置における受信レベルの基準値を１ｂｙｔｅ、基地局装置での受信レベルを２ｂｙｔｅ、要求信号のエラーレートを４ｂｙｔｅ、ユーザデータ信号のエラーレートを４ｂｙｔｅとして、これら合計１９ｂｙｔｅが報知信号に割り当てられている。
【００１１】
また、要求信号には加入者局装置２から基地局装置１へ通知したい上り制御情報が割り当てられている。
この加入者局装置２から基地局装置１に通知する上り制御情報はリアルタイムに変化する加入者局装置２の状態を基地局装置１側で把握するために重要な情報であり、特にＰ−ＭＰ方式の場合は加入者局装置２が様々な場所に複数存在するため、基地局装置１側で一元管理できることが望ましい。
【００１２】
加入者局装置２から基地局装置１へ通知したい上り制御情報の例としては、図９に示すように、基地局装置１からの送信信号の加入者局装置２での受信レベル、加入者局装置２の装置温度、加入者局装置２の送信パワー値、報知信号のエラーレート、許可信号のエラーレート、ユーザデータ信号のエラーレート、有線側（加入者ＬＡＮ）の送信パケット数、有線側（加入者ＬＡＮ）の受信パケット数、有線側（加入者ＬＡＮ）のエラーパケット数等がある。なお、図９に示す例では、加入者局装置での受信レベルを１ｂｙｔｅ、加入者局装置の装置温度を１ｂｙｔｅ、加入者局装置の送信パワー値を１ｂｙｔｅ、報知信号のエラーレートを４ｂｙｔｅ、許可信号のエラーレートを４ｂｙｔｅ、ユーザデータ信号のエラーレートを４ｂｙｔｅ、有線側（加入者ＬＡＮ）の送信パケット数を４ｂｙｔｅ、有線側（加入者ＬＡＮ）の受信パケット数を４ｂｙｔｅ、有線側（加入者ＬＡＮ）のエラーパケット数を４ｂｙｔｅとして、これら合計２７ｂｙｔｅが要求信号に割り当てられている。
【００１３】
【発明が解決しようとする課題】
しかしながら、図３に示すような有限長の無線フレームを使用して無線局装置間の通信を行う無線システムにおいては、種々複数の制御情報を転送するための制御フィールドを設定することによってデータフィールドが減少し、ユーザデータの伝送効率（データ通信速度）が低下してしまうと言う課題があった。
【００１４】
特に、Ｐ−ＭＰ方式の無線アクセスシステムでは、有限長の無線フレームを使用して基地局装置１と複数の加入者局装置２との間で制御情報の送受を行っているため、これら複数の加入者局装置の動的に変動する多くの制御情報を基地局装置１に通知するためには制御フィールドが増大してしまい、その分、ユーザデータフィールドが減少してしまう傾向が顕著である。
【００１５】
本発明は上記従来の事情に鑑みなされたもので、無線局装置間で制御フィールドとデータフィールドとを含む無線フレームを用いて通信を行う無線システムにおいて、システム動作に支障を生じさせることなく、ユーザデータの伝送効率を向上させることを目的としている。
また、本発明は、基地局装置と加入者局装置と間ので制御フィールドとデータフィールドとを含む無線フレームを用いて通信を行う無線アクセスシステムにおいて、システム動作に支障を生じさせることなく、ユーザデータの伝送効率を向上させることを目的としている。
なお、本発明の更なる目的は以下の説明において明らかなところである。
【００１６】
【課題を解決するための手段】
制御情報はシステムを正常に動作させるために重要な情報であるが、システムの設定、システムが保証する通信安定性の程度、システム設置環境等の実用上の条件を考えると、必ずしも各無線フレーム毎に全ての制御情報を伝送する必要が無い場合もある。
本発明は、上記着想に基づいてなされたもので、制御情報伝送を必要且つ十分な程度に抑えることを可能にして、ユーザデータの伝送効率を向上させるものである。
【００１７】
具体的には、本発明は、一の無線局装置と他の無線局装置とを、制御情報の伝送に用いる制御フィールドとユーザデータの伝送に用いるデータフィールドとを含む無線フレームにより、無線接続する加入者系無線アクセスシステムをも含む無線システムにおいて、伝送対象となる全ての制御情報より小さい制御フィールドを無線フレームに設定し、制御情報を送信する無線局装置に、予め設定したルールに従って、伝送する制御情報を選択して無線フレーム中の制御フィールドを構成する手段を備えたものである。
すなわち、制御情報を伝送するための制御フィールドを共有することにより、無線フレーム内で制御フィールド長を最小限に抑えることが可能となり、ユーザデータフィールド長を最大限にすることが可能となる。
【００１８】
また、本発明は、一の無線局装置と他の無線局装置とを、制御情報の伝送に用いる制御フィールドとユーザデータの伝送に用いるデータフィールドとを含む無線フレームにより無線接続する方法において、伝送対象となる全ての制御情報より小さい制御フィールドを無線フレームに設定し、予め設定したルールに従って制御情報を選択して制御フィールドに載せて伝送し、制御フィールドを共用することにより複数の無線フレームによって全ての種類の制御情報を無線通信方法である。
【００１９】
ここで、本発明における予め設定したルールは、従来において無線フレーム毎に伝送されていた複数の制御情報を間引いて、複数の無線フレームによって全ての制御情報が伝送されるようにするためのルールであり、システムの実用上の必要性に応じて種々な態様で設定すればよい。このルールとしては、例えば、制御情報の全ての種類を順番に一つ以上の幾つかずつ無線フレームに載せて、複数の無線フレームの伝送によって全ての種類を伝送する循環するサイクリックなルール、必要頻度の高いなどの或る種類の制御情報は無線フレーム毎に伝送し、他の種類の制御情報は上記のようなサイクリックルールで伝送すると言った重要度に則したルール、エラーレートやレベルなどの制御情報については制御情報の値が変動しない時には伝送せず、変動した時にのみ伝送するといったルール等が採用できる。
【００２０】
【発明の実施の形態】
本発明を、実施例に基づいて具体的に説明する。
本実施例は、図２に示すように基幹ネットワークＮに接続される基地局装置１と、加入者端末（ＬＡＮ）に接続される複数の加入者局装置２とを、図３に示したように制御情報の伝送に用いる制御フィールドとユーザデータの伝送に用いるデータフィールドとを含む無線フレームにより無線接続する加入者系無線アクセスシステムに本発明を適用したものであり、これら図２及び図３を適宜参照して説明する。
【００２１】
なお、以下の説明から明らかなように、本発明はこのような無線フレームを用いた無線局装置間通信を行う一般的な無線システムに適用しても、加入者系無線アクセスシステムと同様な作用効果を得ることができる。
【００２２】
図１には本例の無線アクセスシステムに係る基地局装置１と加入者局装置２との機能構成を示してある。
まず、本例の無線アクセスシステムでは、図３に示す有限長の無線フレームにより基地局装置１と加入者局装置２との無線接続がなされるが、当該無線フレームの制御フィールド長は送信対象となる全ての制御情報の量より小さく設定されている。すなわち、制御フィールドは伝送対象となる全ての種類の制御情報を載せることができない長さに設定され、その分、無線フレーム中におけるユーザデータフィールドが長く設定されて、無線フレーム当りの伝送するユーザデータ量が多くなっている。
【００２３】
基地局装置１は、無線フレームによりアンテナ１０を介して加入者局装置２と無線通信を行う装置であり、無線通信処理を担う通信部１１、ユーザデータ及び後述するルールに従って制御情報を選択して加入者局装置２へ送信する無線フレームに載せるフレーム構成部１２、加入者局装置２から受信した無線フレーム中のユーザデータ及び制御情報を分別する解析部１３、分別された制御情報を一時的に保持するメモリ１４、制御情報等に基づく基地局装置１の制御及び配下の加入者局装置２の管理を行う制御部１５を有している。
なお、基地局装置１には、基幹ネットワークＮとの通信制御など基地局装置として一般的に備えられる機能部も有しているが、本発明の説明を明確化するためにその他の機能部については説明を割愛する。
【００２４】
加入者局装置２は、無線フレームによりアンテナ２０を介して基地局装置１と無線通信を行う装置であり、無線通信処理を担う通信部２１、ユーザデータ及び後述するルールに従って制御情報を選択して基地局装置１へ送信する無線フレームに載せるフレーム構成部２２、基地局装置１から受信した無線フレーム中のユーザデータ及び制御情報を分別する解析部２３、分別された制御情報を一時的に保持するメモリ２４、制御情報等に基づく加入者局装置２の制御を行う制御部２５を有している。
なお、加入者局装置２には、加入者端末やＬＡＮとの通信制御など加入者局装置として一般的に備えられる機能部も有しているが、本発明の説明を明確化するためにその他の機能部については説明を割愛する。
【００２５】
次に、図４を参照して、基地局装置１から加入者局装置２への下り制御情報を伝送する報知信号フィールドの構成を説明する。
本例では、装置の日時情報の前半部、装置の日時情報の後半部、加入者局装置２の送信パワー制御に使用する基地局装置１における受信レベルの基準値、当該加入者局装置２からの送信信号の基地局装置１での受信レベル、要求信号のエラーレート、ユーザデータ信号のエラーレートと言った、６種類の下り制御情報に対して、合計５ｂｙｔｅの制御信号フィールドを無線フレーム中に１つ設定してある。
【００２６】
すなわち、１つの無線フレームによって１つの下り制御情報を伝送し、伝送する下り制御情報の種類を循環して変更することにより、６つの無線フレームによって全ての種類の下り制御情報が伝送されるサイクリックルールがシステムに設定されている。
制御信号フィールドは、制御情報を識別するための１ｂｙｔｅ長の識別エリアと、制御情報をのせるための４ｂｙｔｅ長の情報エリアとから構成されており、４ｂｙｔｅ長以下の制御情報を伝送する。ここで、ユーザデータフィールドをできるだけ長くするために短く設定した制御信号フィールドに対応して、比較的長くなる装置の日時情報については分割して伝送するようにしている。
【００２７】
したがって、各下り制御情報は制御信号フィールドの情報エリアに対応して４ｂｙｔｅ長以下であり、また、装置の日時情報の前半部は“１”、装置の日時情報の後半部は“２”、基地局装置における受信レベルの基準値は“３”、基地局装置１での受信レベルは“４”、要求信号のエラーレートは“５”、ユーザデータ信号のエラーレートは“６”と言ったように各下り制御情報を識別するための１ｂｙｔｅ長以下の識別子が各下り制御情報に割当られている。
そして、下り制御情報を無線フレームに載せる際には、その識別子を制御信号フィールドの識別エリアに載せ、その下り制御情報を制御信号フィールドの情報エリアに載せて伝送する。
【００２８】
ここで、各下り制御情報と識別子の対応テーブル３１は、基地局装置１のフレーム構成部１２に設定されて、伝送する下り制御情報を選択するために用いられ、また、加入者局装置２の解析部２３に設定されて、受信した下り制御情報を分別するために用いられる。
【００２９】
次に、図５を参照して、加入者局装置２から基地局装置１への上り制御情報を伝送する要求信号フィールドの構成を説明する。
本例では、基地局装置１からの送信信号の加入者局装置２での受信レベル、加入者局装置２の装置温度、加入者局装置２の送信パワー値、報知信号のエラーレート、許可信号のエラーレート、ユーザデータ信号のエラーレート、有線側（加入者ＬＡＮ）の送信パケット数、有線側（加入者ＬＡＮ）の受信パケット数、有線側（加入者ＬＡＮ）のエラーパケット数と言った、９種類の上り制御情報に対して、合計５ｂｙｔｅの要求信号フィールドを無線フレーム中に１つ設定してある。
【００３０】
すなわち、１つの無線フレームによって１つの上り制御情報を伝送し、伝送する上り制御情報の種類を循環して変更することにより、９つの無線フレームによって全ての種類の上り制御情報が伝送されるサイクリックルールがシステムに設定されている。
要求信号フィールドは、制御情報を識別するための１ｂｙｔｅ長の識別エリアと、制御情報をのせるための４ｂｙｔｅ長の情報エリアとから構成されており、４ｂｙｔｅ長以下の制御情報を伝送する。
【００３１】
したがって、各上り制御情報は要求信号フィールドの情報エリアに対応して４ｂｙｔｅ長以下であり、また、加入者局装置２での受信レベルは“１”、加入者局装置２の装置温度は“２”、加入者局装置２の送信パワー値は“３”、報知信号のエラーレートは“４”、許可信号のエラーレートは“５”、ユーザデータ信号のエラーレートは“６”、有線側（加入者ＬＡＮ）の送信パケット数は“７”、有線側（加入者ＬＡＮ）の受信パケット数は“８”、有線側（加入者ＬＡＮ）のエラーパケット数は“９”と言ったように各上り制御情報を識別するための１ｂｙｔｅ長以下の識別子が各上り制御情報に割り当てられている。
そして、上り制御情報を無線フレームに載せる際には、その識別子を要求信号フィールドの識別エリアに載せ、その上り制御情報を要求信号フィールドの情報エリアに載せて伝送する。
【００３２】
ここで、各上り制御情報と識別子の対応テーブル３２は、加入者局装置２のフレーム構成部２２に設定されて、伝送する上り制御情報を選択するために用いられ、また、基地局装置１の解析部１３に設定されて、受信した上り制御情報を分別するために用いられる。
【００３３】
次に、図６を参照して、基地局装置１でなされる下り制御情報の伝送処理について説明する。
同図に示す報知信号作成処理は主にフレーム構成部１２によって行われ、まず、６種類ある内から伝送する１つの下り制御情報を選択するために内部処理で用いる制御情報識別番号を一つ増加させる（ステップＳ１）。なお、この結果、制御情報識別番号が下り制御情報の種類数（識別子の番号＝６）を超えてしまったかを判別し（ステップＳ２）、超えてしまっている場合には、１〜６の識別番号を循環する等に、初期値の１に設定する（ステップＳ３）。
【００３４】
このようにして、１〜６のいずれかの制御情報識別番号が設定されると、当該番号を図４に示した報知信号フィールドの制御情報識別エリアに設定する（ステップＳ４）。
次いで、制御情報識別エリアに設定された番号が幾つであるかを判別し（ステップＳ５〜Ｓ９）、テーブル３１を参照して判別した番号に対応する種類の下り制御情報を図４に示した報知信号フィールドの制御情報エリアに載せる（ステップＳ１０〜Ｓ１５）。
【００３５】
すなわち、番号が“１”である場合には対応する装置の日時情報の前半部を制御情報エリアに載せ（ステップＳ１０）、番号が“２”である場合には対応する装置の日時情報の後半部を制御情報エリアに載せ（ステップＳ１１）、番号が“３”である場合には対応する基地局装置における受信レベルの基準値を制御情報エリアに載せ（ステップＳ１２）、番号が“４”である場合には対応する基地局装置での受信レベルを制御情報エリアに載せ（ステップＳ１３）、番号が“５”である場合には対応する要求信号のエラーレートを制御情報エリアに載せ（ステップＳ１４）、番号が“６”である場合には対応するユーザデータ信号のエラーレートを制御情報エリアに載せる（ステップＳ１５）。
【００３６】
このようにして下り制御情報が選択的に載せられる無線フレームには、そのユーザデータフィールドに加入者局装置側へ伝送すべきユーザデータが載せられ、これら制御情報及びユーザデータが載せられた無線フレームは通信部１１で必要な変調等が施されて、アンテナ１０から無線区間へ送信される。
したがって、無線フレーム中で下り制御情報の占める割合が小さくなっていることから、ユーザデータの伝送量を多くすることができ、また、下り制御情報が低速な提供態様とはなっても、システム設定などによって支障なく制御を実行することができる。
【００３７】
次に、図７を参照して、加入者局装置２でなされる下り制御情報の受信処理について説明する。
同図に示す報知信号受信処理は主に解析部２３によって行われ、まず、受信した無線フレーム中の報知信号フィールド（制御情報識別エリア）に設定された番号を判別し（ステップＳ２１〜Ｓ２５）、受信した無線フレーム中の制御情報エリアから抽出した制御情報の種類をテーブル３１を参照して特定する（ステップＳ２６〜Ｓ３１）。
【００３８】
すなわち、番号が“１”である場合には対応する装置の日時情報の前半部として特定し（ステップＳ２１、Ｓ２６）、番号が“２”である場合には対応する装置の日時情報の後半部として特定し（ステップＳ２２、Ｓ２７）、番号が“３”である場合には対応する基地局装置における受信レベルの基準値として特定し（ステップＳ２３、Ｓ２８）、番号が“４”である場合には対応する基地局装置での受信レベルとして特定し（ステップＳ２４、Ｓ２９）、番号が“５”である場合には対応する要求信号のエラーレートとして特定し（ステップＳ２５、Ｓ３０）、番号が“６”である場合には対応するユーザデータ信号のエラーレートとして特定し（ステップＳ２５、Ｓ３１）、これら受信制御情報をメモリ２４に保持して制御部２５による制御に提供する。
【００３９】
なお、上り制御情報を伝送する要求信号についても、上記と同様であり、図５に示した各上り制御情報を加入者局装置２のフレーム構成部２２でテーブル３２を参照してサイクリックに選択し、無線フレームの要求信号フィールドに選択した上り制御情報とその識別子を載せて基地局装置１へ無線送信する。そして、基地局装置１では、受信した無線フレームの要求信号フィールドから解析部１３が識別番号及び制御情報を抽出し、テーブル３２を参照して制御情報をその種類と特定してメモリ１４２保持させ、制御部１５に提供する。
【００４０】
【発明の効果】
以上説明したように本発明によると、システム動作に支障を生じさせることなく無線フレーム中に占める制御情報の割合を抑えて、ユーザデータの割合を増加させることができるため、ユーザデータの伝送効率を大幅に向上させることができる。
【００４１】
また、後に基地局装置と加入者局装置と間で送受信しなければならない制御情報が増えた場合、従来の方式であれば、無線フレームに設定する制御情報フィールドを増加させると共にその構成を変更させなければならないため、ハードウェアの変更なども必要になるが、本発明によれば、制御情報識別番号を追加し、追加した識別番号のソフトウェア処理を追加するだけで対応することができる。特に、加入者局の増加や削減などのシステム変更の要求が生ずる加入者系無線アクセスシステムでは、このような効果は極めて有用であり、システムの商品価値を高めることができる。
【図面の簡単な説明】
【図１】本発明の一実施例に係る無線システムの機能構成図である。
【図２】本発明を適用する加入者系無線アクセスシステム一例を示す構成図である。
【図３】無線フレームの構成の一例を示す図である。
【図４】本発明の一実施例に係る報知信号フィールドの構成を説明する図である。
【図５】本発明の一実施例に係る要求信号フィールドの構成を説明する図である。
【図６】本発明の一実施例に係る報知信号作成処理を説明する図である。
【図７】本発明の一実施例に係る報知信号受信処理を説明する図である。
【図８】従来の報知信号フィールドの構成を説明する図である。
【図９】従来の要求信号フィールドの構成を説明する図である。
【符号の説明】
１：基地局装置、
２：加入者局装置、
１２、２２：フレーム構成部、
１３、２３：解析部、
１４，２４：メモリ、
【図１】
2004165875.tif 000003
【図２】
2004165875.tif 000004
【図３】
2004165875.tif 000005
【図４】
2004165875.tif 000006
【図５】
2004165875.tif 000007
【図６】
2004165875.tif 000008
【図７】
2004165875.tif 000009
【図８】
2004165875.tif 000010
【図９】
2004165875.tif 000011